(57)【特許請求の範囲】
【請求項１】
正逆回転モータとワイヤを巻き取るドラムからなる昇降装置と、この昇降装置に吊持されて昇降する照明器具と、前記昇降装置に設けられたコードリールと、前記コードリールに巻き取られ先端が前記照明器具に接続されたコードと、前記照明器具の上昇中に前記照明器具と前記昇降装置との間に物が挟まれた場合および前記照明器具の下降中に前記照明器具が物に当たった場合を検知する検知手段を有して前記照明器具を安全状態に制御する制御手段とを備え、
上昇中に物が挟まれた場合の前記検知手段はモータロック状態で前記正逆回転モータの過電流を検知する過電流検知装置であり、
下降中に物があたった場合の前記検知手段は前記ワイヤを掛けたプーリーと、前記プーリーを前記ワイヤの引き力に対して引き上げるばねと、前記ワイヤがたるんだときに前記ばねによって引き上げられた前記プーリー上の前記ワイヤに当接して前記プーリーを前記ばねに抗して位置決めするワイヤ滑り止めと、前記プーリーがたるんだときの前記プーリーの移動を検知するリミットスイッチとで構成し、
前記制御手段は、前記検知手段の動作により前記照明器具を停止および消灯し、かつ停止前と反対の方向に少し昇降する昇降式照明器具。
【発明の詳細な説明】
【０００１】
【産業上の利用分野】
この発明は、昇降式照明器具に関するものである。
【０００２】
【従来の技術】
従来、昇降装置に照明器具を吊持して、昇降装置の動作により照明器具を点灯可能な状態または不可能な状態で昇降する昇降式照明器具があった。
【０００３】
【発明が解決しようとする課題】
しかし、照明器具が上昇して照明器具と昇降装置との間に腕を含む物が挟まった場合、物や照明器具が損傷する危険性があった。
また照明器具が下降して物に当たった場合も同様に物や照明器具が損傷したり、昇降装置のワイヤが緩むことにより昇降装置が故障する危険性があった。
【０００４】
したがって、この発明の目的は、照明器具が物を挟んだり物に当たっても物や照明器具等の損傷を防止することができる昇降式照明器具を提供することである。
【０００５】
【課題を解決するための手段】
請求項１の昇降式照明器具は、正逆回転モータとワイヤを巻き取るドラムからなる昇降装置と、この昇降装置に吊持されて昇降する照明器具と、前記昇降装置に設けられたコードリールと、前記コードリールに巻き取られ先端が前記照明器具に接続されたコードと、前記照明器具の上昇中に前記照明器具と前記昇降装置との間に物が挟まれた場合および前記照明器具の下降中に前記照明器具が物に当たった場合を検知する検知手段を有して前記照明器具を安全状態に制御する制御手段とを備え、
上昇中に物が挟まれた場合の前記検知手段はモータロック状態で前記正逆回転モータの過電流を検知する過電流検知装置であり、
下降中に物があたった場合の前記検知手段は前記ワイヤを掛けたプーリーと、前記プーリーを前記ワイヤの引き力に対して引き上げるばねと、前記ワイヤがたるんだときに前記ばねによって引き上げられた前記プーリー上の前記ワイヤに当接して前記プーリーを前記ばねに抗して位置決めするワイヤ滑り止めと、前記プーリーがたるんだときの前記プーリーの移動を検知するリミットスイッチとで構成し、
前記制御手段は、前記検知手段の動作により前記照明器具を停止および消灯し、かつ停止前と反対の方向に少し昇降するものである。
【０００７】
【作用】
請求項１の昇降式照明器具によれば、昇降装置の動作により照明器具が昇降するが、照明器具の上昇中に照明器具と昇降装置との間に物が挟まれたり照明器具が下降中に物にあたった場合、検知手段が動作するので制御手段を作動し照明器具を安全状態に制御することができる。
【０００８】
また前記制御手段が前記検知手段の動作により前記照明器具を停止し、かつ停止前と反対の方向に少し昇降するため、照明器具の上昇動作において手や腕を含む物が挟まったことが認識できるとともに、物および照明器具への悪影響が少なく損傷を防止でき、しかも挟まった位置から物を取り除き易い。また照明器具が少しだけ下がって停止し下がり続けることがないため、照明器具下の物に不用意に当たることがなく予想外の事態になることが避けられる。さらに照明器具の下降動作においては物に当たった後少し上昇することから、昇降装置の故障たとえばワイヤのドラムからのはみ出しやからまり等も防止できる。
【０００９】
さらに前記制御手段が、前記検知手段の動作により前記照明器具を停止し、かつ消灯するため、たとえ照明器具が物に接触している状態が継続しても、照明器具のランプ熱で物を加熱しないので発煙や発火等の災害に至らず危険性を防止することができる。
【００１０】
【実施例】
この発明の第１の実施例を図１ないし図４により説明する。すなわち、この昇降式照明器具は、昇降装置１と、照明器具２と、制御手段３とを有する。
昇降装置１は、２本のワイヤ４を巻き取るためのドラム５と、ドラム５を回転するモータ６と、ワイヤ４の方向を変換する一対のプーリー７，７′と、コード８を巻き取るコードリール９とを有する。モータ６の一方向の回転によりドラム５を巻取り動作し、他方向の回転により巻き戻し動作し、巻取り動作で照明器具２が上昇し、巻き戻し動作で照明器具２が下降する。コード８は先端が照明器具２に接続され、コードリール９側が電源Ｅ（図４）に接続されている。
【００１１】
照明器具２は、昇降装置１のワイヤ４に吊持されて昇降する。実施例の照明器具２は一対の灯具１０を有する。また照明器具２にコード８が接続されているた、照明器具２の上昇中、下降中および停止中のいずれにおいてもコード８を通して電力を供給できるので、点灯および消灯が可能となっている。
制御手段３は、照明器具２の上昇中に照明器具２と昇降装置１との間に物１１が挟まれた場合にこれら検知する検知手段を有して照明器具２を安全状態に制御する。
【００１２】
実施例の検知手段は、過負荷状態の検知を行なうもので、たとえばモータ６の過電流検知装置を用いている。すなわちモータ６はＤＣモータを用いており、図１の照明器具の下降位置から上昇して図２に示すように物１１が昇降装置１と照明器具２によって挟まれると、モータ６はモータロック状態となり、過電流が流る。この過電流を過電流検知装置により検知する。
【００１３】
実施例の制御手段３は、照明器具２の昇降を制御するものであり、検知手段の検知信号を受けると照明器具２が少し降下するように昇降装置１を制御する。すなわち、制御手段３は過電流検知装置の検知信号を受けて、制御手段３によりモータ６の回転方向を逆回転するとともに一定時間モータ６を駆動する指示を送り、指示がなくなると停止する。これにより図３に示すように照明器具２は少し下降するので、物１１を取り出すことができる。
【００１４】
さらに実施例では、検知手段に応答して照明器具２を消灯するように制御している。
この実施例によれば、昇降装置１の動作により照明器具２が昇降するが、照明器具２の上昇中に照明器具２と昇降装置１との間に物が挟まれたり照明器具２が下降中に物にあたった場合、検知手段が動作して制御手段３を作動し照明器具２を安全状態に制御する。
【００１５】
この場合、制御手段３が検知手段の動作により照明器具２を停止し、かつ停止前と反対の方向に少し昇降するため、照明器具２の上昇動作において手や腕を含む物１１が挟まったことが認識できるとともに、物１１および照明器具２への悪影響が少なく損傷を防止でき、しかも挟まった位置から物１１を取り除き易い。また照明器具２が少しだけ下がって停止し下がり続けることがないため、照明器具２下の物に不用意に当たることがなく予想外の事態になることが避けられる。すなわち、本来照明器具２の上昇を目的として動かしているのでその意思とは無関係に逆方向に動き続けると予想外の事態になることが予想されるからである。
【００１６】
また制御手段３が、検知手段の動作により照明器具２を停止し、かつ消灯するため、たとえ照明器具２が物に接触している状態が継続しても、照明器具２のランプ熱で物１１を加熱しないので発煙や発火等の災害に至らず危険性を防止することができる。
なお、この実施例において、検知手段の動作によって制御手段３により照明器具２の一定時間の逆転と、照明器具２の昇降の停止および消灯とを行なったが、照明器具２の逆転のみ、または照明器具２の昇降の停止および消灯のみでもよい。
【００１７】
この発明の第２の実施例を図５に示す。すなわち、この昇降式照明器具は、第１の実施例と比較してプーリ７，７′がなく、またワイヤ４は１本からなっている。その他は第１の実施例と同様である。
この発明の第３の実施例を図６ないし図１１に示す。すなわち、この昇降式照明器具は、制御手段３が照明器具２の下降中に照明器具２が物１２に当たったことを検知する検知手段を有して、照明器具２が少し上昇するように昇降装置１を制御している。１６は床面である。
【００１８】
検知手段は、図８に示すように上下に移動可能なプーリー７′と、たるみ検知用リミットスイッチ１３と、ワイヤ滑り止め１４、およびプーリー７′を引き上げるためのばね１５とで構成されている。通常はたるみ検知用リミットスイッチ１３のレバー１３ａがプーリー７′に係合し、照明器具２の自重によりプーリー７′が押下げられるため、たるみ検知用リミットスイッチ１３はオン状態なっている。
【００１９】
制御手段３は図１１に示すように、昇降制御ブロック３ａと照明制御ブロック３ｂからなり、検知手段の信号を受けて昇降制御ブロック３ａにより昇降動作を逆転し一定時間動作させ、照明制御ブロック３ｂにより灯具１０を消灯する。すなわち、照明器具２の下に物１２があった場合、図６の照明器具２の上昇位置から照明器具２が下降して図７に示すように照明器具２が物１２に当たると、モータ６は回転を継続しているのでワイヤ４がたるみ、プーリー７′は照明器具２の自重がなくなるため、ばね１５によってプーリー７′は図９の状態へ上方に引上げられ、これによりたるみ検知用リミットスイッチ１３のレバー１３ａは上がり、オフ状態となる。またプーリー７′は滑り止め１４まで押上げられるため、ワイヤ４は滑り止め１４とプーリー７′に挟まれ、ドラム５とプーリー７′間のワイヤ４のたるみはなくなる。たるみ検知用リミットスイッチ１３のオフの動作で制御手段３の昇降制御ブロック３ａが動作してモータ６が逆転し図１０に示すように一定時間経過すると照明器具２が停止する。また逆転と同時に照明制御ブロック３ｂの動作により照明器具２が消灯する。
【００２０】
この実施例によれば、照明器具２の下降動作においては物１２に当たった後少し上昇することから、物１２および照明器具２の損傷を防止できるとともに、昇降装置１の故障たとえばワイヤ４のドラム５からのはみ出しやからまり等も防止できる。
また制御手段３が、検知手段の動作により照明器具２を停止し、かつ消灯するため、たとえ照明器具２が物１２に接触している状態が継続しても、照明器具２のランプ熱で可燃物等の物１２を加熱しないので発煙や発火等の災害に至らず、危険性を防止することができる。その他第１の実施例と同様の作用効果がある。
【００２１】
なお、この実施例において、検知手段の動作によって制御手段３により照明器具２の一定時間の逆転と、照明器具２の昇降の停止および消灯とを行なったが、照明器具２の逆転のみ、または照明器具２の昇降の停止および消灯のみでもよい。
【００２２】
【発明の効果】
請求項１の昇降式照明器具によれば、昇降装置の動作により照明器具が昇降するが、照明器具の上昇中に照明器具と昇降装置との間に物が挟まれたり照明器具が下降中に物にあたった場合、検知手段が動作して制御手段を作動し照明器具を安全状態に制御することができるという効果がある。
【００２３】
また前記制御手段が前記検知手段の動作により前記照明器具を停止し、かつ停止前と反対の方向に少し昇降するため、照明器具の上昇動作において手や腕を含む物が挟まったことが認識できるとともに、物および照明器具への悪影響が少なく損傷を防止でき、しかも挟まった位置から物を取り除き易い。また照明器具が少しだけ下がって停止し下がり続けることがないため、照明器具下の物に不用意に当たることがなく予想外の事態になることが避けられる。さらに照明器具の下降動作においては物に当たった後少し上昇することから、昇降装置の故障たとえばワイヤのドラムからのはみ出しやからまり等も防止できる。
【００２４】
さらに前記制御手段が、前記検知手段の動作により前記照明器具を停止し、かつ消灯するため、たとえ照明器具が物に接触している状態が継続しても、照明器具のランプ熱で物を加熱しないので発煙や発火等の災害に至らず危険性を防止することができる。
【図面の簡単な説明】
【図１】この発明の第１の実施例の照明器具の下降状態の側面図である。
【図２】照明器具の上昇状態の側面図である。
【図３】照明器具が物を挟んだ後少し下降した状態の側面図である。
【図４】制御系統の説明図である。
【図５】第２の実施例の照明器具の側面図である。
【図６】第３の実施例の照明器具の上昇状態の側面図である。
【図７】照明器具が下降して物に当たった状態の側面図である。
【図８】検知手段の検知前の状態の側面図である。
【図９】その検知状態の側面図である。
【図１０】照明器具が物に当たったあと少し上昇した状態の側面図である。
【図１１】第３の実施例の制御系統の説明図である。
【符号の説明】
１    昇降装置
２    照明器具
３    制御手段
【図１】
0003942647.tif 000002
【図２】
0003942647.tif 000003
【図３】
0003942647.tif 000004
【図４】
0003942647.tif 000005
【図５】
0003942647.tif 000006
【図６】
0003942647.tif 000007
【図７】
0003942647.tif 000008
【図８】
0003942647.tif 000009
【図９】
0003942647.tif 000010
【図１０】
0003942647.tif 000011
【図１１】
0003942647.tif 000012